(57)【要約】【課題】光源装置及び投写光学系の構成を共通に利用して、電気光学変調装置を小型化するとともに、スクリーンにおける投写画像の位置を、電気光学変調装置を小型化する前の投写画像の位置と同じになるようにすることが可能なプロジェクタを提供する。【解決手段】光源装置と、電気光学変調装置と、投写光学系と、照明光学系とを備えるプロジェクタ１０００。投写光学系の光軸を含む第１の仮想平面ＶＰ１は、光源装置の光軸１０ａｘを含む第２の仮想平面ＶＰ２に対してｙ軸（＋）方向に偏倚しているとともに、電気光学変調装置は、画像形成領域Ｓ２の中心ｐが第１の仮想平面ＶＰ１と第２の仮想平面ＶＰ２との間に位置するように配置されており、照明光学系は、光源装置から射出される照明光束を、画像形成領域Ｓ２の中心ｐを通過する中心軸を有する照明光束に変換する機能を有する。【選択図】図３
2007171443.tif 000002
【特許請求の範囲】
【請求項１】
被照明領域側に照明光束を射出する光源装置と、
画像情報に応じて前記照明光束を変調する電気光学変調装置と、
前記電気光学変調装置で変調された照明光束を投写する投写光学系と、
前記光源装置から射出される照明光束を前記電気光学変調装置の画像形成領域に集光する照明光学系とを備え、
水平面に平行で前記投写光学系の光軸を含む第１の仮想平面は、前記第１の仮想平面に平行で前記光源装置の光軸を含む第２の仮想平面に対して第１の方向に偏倚しているとともに、
前記電気光学変調装置は、前記画像形成領域の中心が前記第１の仮想平面と前記第２の仮想平面との間に位置するように配置されたプロジェクタであって、
前記光源装置から射出される照明光束を、前記画像形成領域の中心を通過する中心軸を有する照明光束に変換する機能を有することを特徴とするプロジェクタ。
【請求項２】
請求項１に記載のプロジェクタにおいて、
前記電気光学変調装置は、前記画像形成領域の一方端が前記第１の仮想平面に接するように配置されていることを特徴とするプロジェクタ。
【請求項３】
請求項１又は２に記載のプロジェクタにおいて、
前記照明光学系は、前記光源装置から射出される照明光束を複数の部分光束に分割する複数の第１小レンズを有する第１レンズアレイと、前記第１レンズアレイの前記複数の第１小レンズに対応する複数の第２小レンズを有する第２レンズアレイと、前記第２レンズアレイからの部分光束を前記電気光学変調装置の前記画像形成領域に重畳させる重畳レンズとを有し、
前記重畳レンズの光軸は、前記光源装置の光軸に対して前記第１の方向に偏倚していることを特徴とするプロジェクタ。
【請求項４】
請求項１又は２に記載のプロジェクタにおいて、
前記電気光学変調装置の光入射側に配置されるフィールドレンズをさらに備え、
前記フィールドレンズの光軸は、前記光源装置の光軸に対して前記第１の方向に偏倚していることを特徴とするプロジェクタ。
【請求項５】
請求項１又は２に記載のプロジェクタにおいて、
前記照明光学系は、前記光源装置から射出される照明光束を複数の部分光束に分割する複数の第１小レンズを有する第１レンズアレイと、前記第１レンズアレイの前記複数の第１小レンズに対応する複数の第２小レンズを有する第２レンズアレイと、前記第２レンズアレイからの部分光束を前記電気光学変調装置の前記画像形成領域に重畳させる重畳レンズとを有し、
前記第２レンズアレイの中心は、前記光源装置の光軸に対して前記第１の方向に偏倚していることを特徴とするプロジェクタ。
【請求項６】
請求項１又は２に記載のプロジェクタにおいて、
前記照明光学系は、前記光源装置から射出される照明光束を複数の部分光束に分割する複数の第１小レンズを有する第１レンズアレイと、前記第１レンズアレイの前記複数の第１小レンズに対応する複数の第２小レンズを有する第２レンズアレイと、前記第２レンズアレイからの部分光束を前記電気光学変調装置の前記画像形成領域に重畳させる重畳光学系とを有し、
前記重畳光学系は、複数のレンズを有し、
前記重畳光学系の複数のレンズのうち少なくとも１つのレンズの光軸は、前記光源装置の光軸に対して前記第１の方向に偏倚していることを特徴とするプロジェクタ。
【請求項７】
請求項１又は２に記載のプロジェクタにおいて、
前記光源装置から射出される照明光束を第１〜第３の色光にそれぞれ分離する色分離導光光学系と、
前記電気光学変調装置として、前記第１〜第３の色光をそれぞれ変調する第１〜第３の電気光学変調装置とを備え、
前記照明光学系は、前記光源装置から射出される照明光束を複数の部分光束に分割する複数の第１小レンズを有する第１レンズアレイと、前記第１レンズアレイの前記複数の第１小レンズに対応する複数の第２小レンズを有する第２レンズアレイと、前記第２レンズアレイからの部分光束を前記電気光学変調装置の前記画像形成領域に重畳させる重畳光学系とを有し、
前記色分離導光光学系は、第１のダイクロイックミラーと、第２のダイクロイックミラーとを有し、
前記重畳光学系は、前記第１のダイクロイックミラーと前記第１の電気光学変調装置との間に配置される第１の光学レンズと、前記第１のダイクロイックミラーと前記第２のダイクロイックミラーとの間に配置される第２の光学レンズと、前記第２レンズアレイと前記第１のダイクロイックミラーとの間に配置される第３の光学レンズとを有し、
前記第１のダイクロイックミラーは、前記第３の光学レンズからの光を第１の色光と第２の色光及び第３の色光とに分離し、
前記第２のダイクロイックミラーは、前記第１のダイクロイックミラーからの第２の色光及び第３の色光を第２の色光と第３の色光とに分離し、
前記第３の光学レンズの光軸と前記第１の光学レンズ及び前記第２の光学レンズの光軸とのうち少なくとも一方は、前記光源装置の光軸に対して前記第１の方向に偏倚していることを特徴とするプロジェクタ。
【発明の詳細な説明】
【技術分野】
【０００１】
本発明は、プロジェクタに関する。
【背景技術】
【０００２】
近年、プロジェクタの低コスト化のため、電気光学変調装置を小型化したいという要望が高まっている。この場合、電気光学変調装置を小型化すると画像形成領域の大きさも小さくなるため、画像形成領域の大きさに合わせて照明領域の大きさを小さくすることが考えられる。
【０００３】
ところで、プロジェクタは、通常投写光軸よりも上方に配置されるスクリーンに投写画像を投写する必要があるため、あおり光学系を備えている（例えば、特許文献１参照。）。このため、光源装置及び投写光学系の構成を共通に利用して電気光学変調装置を小型化した場合に、画像形成領域の大きさに合わせて単に照明領域の大きさを小さくしたのでは、スクリーンにおける投写画像（特に投写画像の下端）の位置が、電気光学変調装置を小型化する前の投写画像（特に投写画像の下端）の位置よりも上方に偏倚することとなり、プロジェクタを使用する際の調整作業が煩雑なものとなるという問題が新たに発生する。
【０００４】
なお、このような問題は、電気光学変調装置を小型化した場合における投写画像の大きさを、投写倍率を大きくして電気光学変調装置を小型化する前の投写画像と同じ大きさにした場合においても同様に発生する問題である。
【０００５】
また、このような問題は、机上に設置する通常のプロジェクタのみならず、天井に吊り下げて設置する天吊タイプのプロジェクタの場合にも同様に発生する問題である。
【０００６】
【特許文献１】特開２００４−３６１６２０号公報
【発明の開示】
【発明が解決しようとする課題】
【０００７】
そこで、本発明は、光源装置及び投写光学系の構成を共通に利用して、電気光学変調装置を小型化するとともに、スクリーンにおける投写画像の位置を、電気光学変調装置を小型化する前の投写画像の位置と同じになるようにすることが可能なプロジェクタを提供することを目的とする。
【課題を解決するための手段】
【０００８】
本発明のプロジェクタは、被照明領域側に照明光束を射出する光源装置と、画像情報に応じて前記照明光束を変調する電気光学変調装置と、前記電気光学変調装置で変調された照明光束を投写する投写光学系と、前記光源装置から射出される照明光束を前記電気光学変調装置の画像形成領域に集光する照明光学系とを備え、水平面に平行で前記投写光学系の光軸を含む第１の仮想平面は、前記第１の仮想平面に平行で前記光源装置の光軸を含む第２の仮想平面に対して第１の方向に偏倚しているとともに、前記電気光学変調装置は、前記画像形成領域の中心が前記第１の仮想平面と前記第２の仮想平面との間に位置するように配置されたプロジェクタであって、前記光源装置から射出される照明光束を、前記画像形成領域の中心を通過する中心軸を有する照明光束に変換する機能を有することを特徴とする。
【０００９】
このため、本発明のプロジェクタによれば、光源装置から射出される照明光束を電気光学変調装置の画像形成領域に集光する照明光学系を備えているため、電気光学変調装置を小型化した場合において、小型化された画像形成領域の大きさに合わせて照明領域の大きさを小さくすることが可能となる。
【００１０】
また、本発明のプロジェクタによれば、投写光学系の光軸を含む第１の仮想平面が光源装置の光軸を含む第２の仮想平面に対して第１の方向に偏倚しているとともに、画像形成領域が当該画像形成領域の中心が第１の仮想平面と第２の仮想平面との間に位置するように配置されているため、サイズの異なる電気光学変調装置を搭載するプロジェクタにおいて光源装置及び投写光学系の構成を共通に利用した場合に、小型化した電気光学変調装置における画像形成領域の中心を鉛直方向に沿って上方に偏倚させることが可能になり、スクリーンにおける投写画像（特に投写画像の下端）の位置を、電気光学変調装置を小型化する前の投写画像（特に投写画像の下端）の位置と同じになるように（例えば、プロジェクタを机上に設置して投写光学系の光軸が光源装置の光軸に対して上方向に偏倚している場合、電気光学変調装置のサイズを変更しても投写画像の下端が同じ位置になるように）して、プロジェクタを使用する際の調整作業を簡素化することが可能になる。
【００１１】
さらにまた、本発明のプロジェクタによれば、照明光学系は、光源装置から射出される照明光束を、画像形成領域の中心を通過する中心軸を有する照明光束に変換する機能を有するため、電気光学変調装置の画像形成領域に効率よく照明光束を正しく照射することが可能になる。
【００１２】
このため、本発明のプロジェクタは、光源装置及び投写光学系を共通に利用して、電気光学変調装置を小型化するとともに、スクリーンにおける投写画像の位置を、電気光学変調装置を小型化する前の投写画像の位置と同じになるようにすることが可能なプロジェクタとなる。また、その場合、電気光学変調装置の画像形成領域に照明光束を効率よく正しく照射して光利用効率を維持することが可能なプロジェクタとなる。
【００１３】
本発明のプロジェクタにおいては、前記電気光学変調装置は、前記画像形成領域の一方端が前記第１の仮想平面に接するように配置されていることが好ましい。
【００１４】
このように構成することにより、電気光学変調装置を小型化した場合における投写画像の大きさを、投写倍率を大きくして電気光学変調装置を小型化する前の投写画像と同じ大きさにした場合においても、電気光学変調装置を小型化する前と小型化した後とでスクリーンにおける投写画像の位置を同じにすることが可能になる。
【００１５】
本発明のプロジェクタにおいては、前記照明光学系は、前記光源装置から射出される照明光束を複数の部分光束に分割する複数の第１小レンズを有する第１レンズアレイと、前記第１レンズアレイの前記複数の第１小レンズに対応する複数の第２小レンズを有する第２レンズアレイと、前記第２レンズアレイからの部分光束を前記電気光学変調装置の前記画像形成領域に重畳させる重畳レンズとを有し、前記重畳レンズの光軸は、前記光源装置の光軸に対して前記第１の方向に偏倚していることが好ましい。
【００１６】
このように構成することにより、照明光学系は、光源装置から射出される照明光束を、画像形成領域の中心を通過する中心軸を有する照明光束に変換する機能を有することとなる。
【００１７】
本発明のプロジェクタにおいては、前記電気光学変調装置の光入射側に配置されるフィールドレンズをさらに備え、前記フィールドレンズの光軸は、前記光源装置の光軸に対して前記第１の方向に偏倚していることが好ましい。
【００１８】
このように構成することにより、本発明のプロジェクタは、光源装置から射出される照明光束を、画像形成領域の中心を通過する中心軸を有する照明光束に変換する機能を有することとなる。
【００１９】
本発明のプロジェクタにおいては、前記照明光学系は、前記光源装置から射出される照明光束を複数の部分光束に分割する複数の第１小レンズを有する第１レンズアレイと、前記第１レンズアレイの前記複数の第１小レンズに対応する複数の第２小レンズを有する第２レンズアレイと、前記第２レンズアレイからの部分光束を前記電気光学変調装置の前記画像形成領域に重畳させる重畳レンズとを有し、前記第２レンズアレイの中心は、前記光源装置の光軸に対して前記第１の方向に偏倚していることが好ましい。
【００２０】
このように構成することによっても、照明光学系は、光源装置から射出される照明光束を、画像形成領域の中心を通過する中心軸を有する照明光束に変換する機能を有することとなる。
【００２１】
本発明のプロジェクタにおいては、前記照明光学系は、前記光源装置から射出される照明光束を複数の部分光束に分割する複数の第１小レンズを有する第１レンズアレイと、前記第１レンズアレイの前記複数の第１小レンズに対応する複数の第２小レンズを有する第２レンズアレイと、前記第２レンズアレイからの部分光束を前記電気光学変調装置の前記画像形成領域に重畳させる重畳光学系とを有し、前記重畳光学系は、複数のレンズを有し、前記重畳光学系の複数のレンズのうち少なくとも１つのレンズの光軸は、前記光源装置の光軸に対して前記第１の方向に偏倚していることが好ましい。
【００２２】
このように構成することによっても、照明光学系は、光源装置から射出される照明光束を、画像形成領域の中心を通過する中心軸を有する照明光束に変換する機能を有することとなる。
【００２３】
また、重畳光学系が複数のレンズを有し、重畳光学系によって電気光学変調装置のサイズにあわせて照明領域の大きさを変更させれば電気光学変調装置を小型化するのにあわせて、レンズアレイにおける各小レンズの焦点距離を長くしたり、レンズアレイにおける各小レンズの大きさを小さくしたりする必要がなくなるため、電気光学変調装置を小型化することに伴って照明光学系を大幅に変更する必要がなくなり、プロジェクタの低コスト化を抑制することができるという効果もある。
【００２４】
本発明のプロジェクタにおいては、前記光源装置から射出される照明光束を第１〜第３の色光にそれぞれ分離する色分離導光光学系と、前記電気光学変調装置として、前記第１〜第３の色光をそれぞれ変調する第１〜第３の電気光学変調装置とを備え、前記照明光学系は、前記光源装置から射出される照明光束を複数の部分光束に分割する複数の第１小レンズを有する第１レンズアレイと、前記第１レンズアレイの前記複数の第１小レンズに対応する複数の第２小レンズを有する第２レンズアレイと、前記第２レンズアレイからの部分光束を前記電気光学変調装置の前記画像形成領域に重畳させる重畳光学系とを有し、前記色分離導光光学系は、第１のダイクロイックミラーと、第２のダイクロイックミラーとを有し、前記重畳光学系は、前記第１のダイクロイックミラーと前記第１の電気光学変調装置との間に配置される第１の光学レンズと、前記第１のダイクロイックミラーと前記第２のダイクロイックミラーとの間に配置される第２の光学レンズと、前記第２レンズアレイと前記第１のダイクロイックミラーとの間に配置される第３の光学レンズとを有し、前記第１のダイクロイックミラーは、前記第３の光学レンズからの光を第１の色光と第２の色光及び第３の色光とに分離し、前記第２のダイクロイックミラーは、前記第１のダイクロイックミラーからの第２の色光及び第３の色光を第２の色光と第３の色光とに分離し、前記第３の光学レンズの光軸と前記第１の光学レンズ及び前記第２の光学レンズの光軸とのうち少なくとも一方は、前記光源装置の光軸に対して前記第１の方向に偏倚していることが好ましい。
【００２５】
このように構成することによっても、照明光学系は、光源装置から射出される照明光束を、画像形成領域の中心を通過する中心軸を有する照明光束に変換する機能を有することとなる。
【００２６】
また、重畳光学系における第１〜第３の光学レンズによって第１〜第３の電気光学変調装置のサイズにあわせて照明領域の大きさを変更させれば、電気光学変調装置を小型化するのにあわせて、レンズアレイにおける各小レンズの焦点距離を長くしたり、レンズアレイにおける各小レンズの大きさを小さくしたりする必要がなくなるため、電気光学変調装置を小型化することに伴って照明光学系を大幅に変更したり、色分離導光光学系を変更したりする必要がなくなり、プロジェクタの低コスト化を抑制することができるという効果もある。
【発明を実施するための最良の形態】
【００２７】
以下、本発明のプロジェクタについて、図に示す実施の形態に基づいて説明する。
【００２８】
［実施形態１］
まず、電気光学変調装置を小型化する前のプロジェクタ２０００の構成について、図１を用いて説明する。
【００２９】
図１は、電気光学変調装置を小型化する前のプロジェクタ２０００を説明するために示す図である。図１（ａ）はプロジェクタ２０００の光学系を示す図であり、図１（ｂ）はプロジェクタ２０００における電気光学変調装置４００Ｒ，４００Ｇ，４００Ｂ（図１（ｂ）では電気光学変調装置４００Ｒのみ図示。）を正面から見た図であり、図１（ｃ）はプロジェクタ２０００における第２レンズアレイ１３０を正面から見た図である。
【００３０】
なお、以下の説明においては、互いに直交する３つの方向をそれぞれｚ軸方向（図１（ａ）における光源光軸１０ａｘ方向）、ｘ軸方向（図１（ａ）における紙面に平行かつｚ軸に直交する方向）及びｙ軸方向（図１（ａ）における紙面に垂直かつｚ軸に直交する方向）とする。
【００３１】
電気光学変調装置を小型化する前のプロジェクタ２０００は、図１（ａ）に示すように、被照明領域側に略平行な照明光束を射出する光源装置１０と、光源装置１０から射出される照明光束を電気光学変調装置４００Ｒ，４００Ｇ，４００Ｂにおける画像形成領域Ｓ１に集光する照明光学系１００と、照明光学系１００からの光を画像情報に応じて照明光束を変調する３つの電気光学変調装置４００Ｒ，４００Ｇ，４００Ｂと、各電気光学変調装置４００Ｒ，４００Ｇ，４００Ｂで変調された色光を合成するクロスダイクロイックプリズム５００と、クロスダイクロイックプリズム５００によって合成された光をスクリーンＳＣＲ等の投写面に投写する投写光学系６００とを備えたプロジェクタである。
【００３２】
光源装置１０は、楕円面リフレクタ４０と、楕円面リフレクタ４０の第１焦点近傍に発光中心を有する発光管２０と、発光管２０に設けられ、発光管２０から被照明領域側に射出される光を楕円面リフレクタ４０に向けて反射する反射手段としての補助ミラー６０と、楕円面リフレクタ４０で反射された集束光を平行光に変換して第１レンズアレイ１２０に向けて射出する凹レンズ８０とを有している。光源装置１０は、光軸１０ａｘを中心軸とする光束を射出する。言い換えると、光源１０ａｘは、光源装置１０における楕円面リフレクタ４０の開口部から射出される照明光束の中心軸と一致する。
【００３３】
発光管２０は、管球部と、管球部の両側に延びる一対の封止部とを有している。
楕円面リフレクタ４０は、発光管２０の一方の封止部に挿通・固着される筒状の首状部と、発光管２０から放射された光を第２焦点位置に向けて反射する反射凹面とを有している。
【００３４】
補助ミラー６０は、発光管２０を挟んで楕円面リフレクタ４と対向して設けられ、発光管２０から放射された光のうち楕円面リフレクタ４０に向かわない光を発光管２０に戻し楕円面リフレクタ４０に入射させる。
【００３５】
凹レンズ８０は、楕円面リフレクタ４０の被照明領域側に配置されている。そして、楕円面リフレクタ４０からの光を第１レンズアレイ１２０に向けて射出するように構成されている。
【００３６】
照明光学系１００は、凹レンズ８０から射出される照明光束を複数の部分光束に分割するための複数の第１小レンズ１２０ａを有する第１レンズアレイ１２０と、第１レンズアレイ１２０の複数の第１小レンズ１２０ａに対応する複数の第２小レンズ１３０ａを有する第２レンズアレイ１３０と、第２レンズアレイ１３０からの各部分光束を偏光方向の揃った略１種類の直線偏光光に変換して射出する偏光変換素子１４０と、偏光変換素子１４０から射出される各部分光束を被照明領域で重畳させるための重畳レンズ１５０と、重畳レンズ１５０からの照明光束を赤色光、緑色光及び青色光の３つの色光に分離して被照明領域に導光する色分離導光光学系２００と、各電気光学変調装置４００Ｒ，４００Ｇ，４００Ｂの光路前段に配置された３つのフィールドレンズ３００Ｒ，３００Ｇ，３００Ｂとを有している。
【００３７】
第１レンズアレイ１２０は、凹レンズ８０からの光を複数の部分光束に分割する光束分割光学素子としての機能を有し、光源装置１０の光軸１０ａｘと直交する面内にマトリクス状に配列される複数の第１小レンズ１２０ａを備えた構成を有している。
【００３８】
第２レンズアレイ１３０は、上述した第１レンズアレイ１２０により分割された複数の部分光束を集光する光学素子であり、第１レンズアレイ１２０と同様に光源装置１０の光軸１０ａｘに直交する面内にマトリクス状に配列される複数の第２小レンズ１３０ａを備えた構成を有している。
【００３９】
第１小レンズ１２０ａの外形形状は、電気光学変調装置４００Ｒ，４００Ｇ，４００Ｂの画像形成領域Ｓ１の外形形状に関して相似形である。すなわち、電気光学変調装置４００Ｒ，４００Ｇ，４００Ｂの画像形成領域Ｓ１の外形形状が「ｙ軸方向に沿った縦寸法：ｘ軸方向に沿った横寸法＝９：１６の長方形」の平面形状を有しているならば、第１小レンズ１２０ａの外形形状は、「ｙ軸方向に沿った縦寸法：ｘ軸方向に沿った横寸法＝９：１６の長方形」の平面形状を有している。第２小レンズ１３０ａの外形形状は必ずしも電気光学変調装置４００Ｒ，４００Ｇ，４００Ｂの画像形成領域Ｓ１の外形形状に関して相似形である必要はない。
【００４０】
偏光変換素子１４０は、第１レンズアレイ１２０により分割された各部分光束の偏光方向を、偏光方向の揃った略１種類の直線偏光光として射出する偏光変換素子である。
偏光変換素子１４０は、光源装置１０からの照明光束に含まれる偏光成分のうち一方の直線偏光成分をそのまま透過し、他方の直線偏光成分をｘ軸方向に反射する偏光分離層と、偏光分離層で反射された他方の直線偏光成分をｚ軸方向に反射する反射層と、反射層で反射された他方の直線偏光成分を一方の直線偏光成分に変換する位相差板とを有している。
【００４１】
重畳レンズ１５０は、第１レンズアレイ１２０、第２レンズアレイ１３０及び偏光変換素子１４０を経た複数の部分光束を集光して液晶装置４００Ｒ，４００Ｇ，４００Ｂの画像形成領域Ｓ１近傍に重畳させるための光学素子である。なお、図１（ａ）に示す重畳レンズ１５０は１枚のレンズで構成されているが、複数のレンズを組み合わせた複合レンズで構成されていてもよい。
【００４２】
色分離導光光学系２００は、第１のダイクロイックミラー２１０及び第２のダイクロイックミラー２２０と、反射ミラー２３０，２４０，２５０と、入射側レンズ２６０と、リレーレンズ２７０とを有している。色分離導光光学系２００は、重畳レンズ１５０から射出される照明光束を、赤色光、緑色光及び青色光の３つの色光に分離して、それぞれの色光を照明対象となる３つの電気光学変調装置４００Ｒ，４００Ｇ，４００Ｂに導く機能を有している。
【００４３】
第１のダイクロイックミラー２１０及び第２のダイクロイックミラー２２０は、基板上に所定の波長領域の光束を反射し、他の波長領域の光束を透過する波長選択膜が形成された光学素子である。第１のダイクロイックミラー２１０は、赤色光成分を反射し、その他の色光成分を透過させるミラーである。第２のダイクロイックミラー２２０は、緑色光成分を反射し、青色光成分を透過させるミラーである。
【００４４】
第１のダイクロイックミラー２１０で反射された赤色光成分は、反射ミラー２３０により曲折され、フィールドレンズ３００Ｒを介して赤色光用の電気光学変調装置４００Ｒの画像形成領域Ｓ１に入射する。
【００４５】
フィールドレンズ３００Ｒは、重畳レンズ１５０からの各部分光束を各主光線に対して略平行な光束に変換するために設けられている。他の電気光学変調装置４００Ｇ，４００Ｂの光路前段に配置されたフィールドレンズ３００Ｇ，３００Ｂも、フィールドレンズ３００Ｒと同様に構成されている。
【００４６】
第１のダイクロイックミラー２１０を透過した緑色光成分及び青色光成分のうち緑色光成分は、第２のダイクロイックミラー２２０で反射され、フィールドレンズ３００Ｇを通過して緑色光用の電気光学変調装置４００Ｇの画像形成領域Ｓ１に入射する。一方、青色光成分は、第２のダイクロイックミラー２２０を透過し、入射側レンズ２６０、入射側の反射ミラー２４０、リレーレンズ２７０、射出側の反射ミラー２５０及びフィールドレンズ３００Ｂを通過して青色光用の電気光学変調装置４００Ｂの画像形成領域Ｓ１に入射する。入射側レンズ２６０、リレーレンズ２７０及び反射ミラー２４０，２５０は、第２のダイクロイックミラー２２０を透過した青色光成分を電気光学変調装置４００Ｂまで導く機能を有している。
【００４７】
なお、青色光の光路にこのような入射側レンズ２６０、リレーレンズ２７０及び反射ミラー２４０，２５０が設けられているのは、青色光の光路の長さが他の色光の光路の長さよりも長いため、光の発散等による光の利用効率の低下を防止するためである。実施形態１に係るプロジェクタ１０００においては、青色光の光路の長さが長いのでこのような構成とされているが、赤色光の光路の長さを長くして、入射側レンズ２６０、リレーレンズ２７０及び反射ミラー２４０，２５０を赤色光の光路に用いる構成も考えられる。
【００４８】
電気光学変調装置４００Ｒ，４００Ｇ，４００Ｂは、照明光束を画像情報に応じて変調してカラー画像を形成するものであり、光源装置１０の照明対象となる。
電気光学変調装置４００Ｒ，４００Ｇ，４００Ｂは、一対の透明なガラス基板に電気光学物質である液晶を密閉封入したものであり、例えば、ポリシリコンＴＦＴをスイッチング素子として、与えられた画像信号に従って、入射側偏光板から射出された１種類の直線偏光の偏光方向を変調する。
【００４９】
各電気光学変調装置４００Ｒ，４００Ｇ，４００Ｂとしては、図１（ｂ）に示すように、「ｙ軸方向に沿った縦寸法（ＤＡ）：ｘ軸方向に沿った横寸法（ＤＢ）＝９：１６の長方形」の平面形状を有する画像形成領域Ｓ１を有するワイドビジョン用の電気光学変調装置を用いている。また、各電気光学変調装置４００Ｒ，４００Ｇ，４００Ｂの画像形成領域Ｓ１は、０．９インチのパネルサイズに対応したものである。
【００５０】
なお、図示を省略したが、各フィールドレンズ３００Ｒ，３００Ｇ，３００Ｂと各電気光学変調装置４００Ｒ，４００Ｇ，４００Ｂとの間には、それぞれ入射側偏光板が介在配置され、各液晶装置４００Ｒ，４００Ｇ，４００Ｂとクロスダイクロイックプリズム５００との間には、それぞれ射出側偏光板が介在配置されている。これら入射側偏光板、電気光学変調装置４００Ｒ，４００Ｇ，４００Ｂ及び射出側偏光板によって入射する各色光の光変調が行われる。
【００５１】
クロスダイクロイックプリズム５００は、射出側偏光板から射出された各色光毎に変調された光学像を合成して、カラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
【００５２】
クロスダイクロイックプリズム５００から射出されたカラー画像は、投写光学系６００によって拡大投写され、スクリーンＳＣＲ上で大画面画像を形成する。なお、投写光学系６００によって、電気光学変調装置４００Ｒ，４００Ｇ，４００Ｂの画像形成領域Ｓ１の像は反転されてスクリーンＳＣＲ上に投影されることとなる。
【００５３】
次に、電気光学変調装置を小型化した後のプロジェクタ１０００の構成について、図２を用いて説明する。
図２は、電気光学変調装置を小型化した後のプロジェクタ１０００を説明するために示す図である。図２（ａ）はプロジェクタ１０００の光学系を示す図であり、図２（ｂ）はプロジェクタ１０００における電気光学変調装置４０２Ｒ，４０２Ｇ，４０２Ｂ（図２（ｂ）では電気光学変調装置４０２Ｒのみ図示。）を正面から見た図であり、図２（ｃ）はプロジェクタ１０００における第２レンズアレイ１３２を正面から見た図である。
【００５４】
電気光学変調装置を小型化した後のプロジェクタ１０００（すなわち、実施形態１に係るプロジェクタ１０００）においては、０．９インチのパネルサイズに対応した画像形成領域Ｓ１を有する電気光学変調装置４００Ｒ，４００Ｇ，４００Ｂに代えて、図２に示すように、０．７インチのパネルサイズに対応した画像形成領域Ｓ２を有する電気光学変調装置４０２Ｒ，４０２Ｇ，４０２Ｂを用いている。
【００５５】
このとき、照明光学系１００においては、第１レンズアレイ１２０及び第２レンズアレイ１３０に代えて、第１レンズアレイ１２０及び第２レンズアレイ１３０よりも各小レンズの焦点距離の長さが長い第１レンズアレイ１２２及び第２レンズアレイ１３２を用いている。
【００５６】
次に、実施形態１に係るプロジェクタ１０００について、図３を用いてさらに詳細に説明する。
図３は、実施形態１に係るプロジェクタ１０００を説明するために示す図である。図３（ａ）は電気光学変調装置を小型化する前のプロジェクタ２０００における、第２レンズアレイ１３０における第２小レンズ１３０ａの焦点距離ｆ１と重畳レンズ１５０の焦点距離ｆ２との関係を模式的に示す図であり、図３（ｂ）は電気光学変調装置を小型化した後のプロジェクタ１０００における、第２レンズアレイ１３２における第２小レンズ１３２ａの焦点距離ｆ１’と重畳レンズ１５０の焦点距離ｆ２との関係を模式的に示す図であり、図３（ｃ）はプロジェクタ２０００における、電気光学変調装置４００Ｒの画像形成領域Ｓ１における照明状態を模式的に示す図であり、図３（ｄ）はプロジェクタ１０００における、電気光学変調装置４０２Ｒの画像形成領域Ｓ２における照明状態を模式的に示す図である。ただし、図３（ａ）及び図３（ｂ）においては、説明を簡潔にするために、３つの色光のうち赤色光の光路について図示するとともに、赤色光の光路に配置されたフィールドレンズ３００Ｒ及び電気光学変調装置４００Ｒ，４０２Ｒを図示しており、偏光変換素子１４０、第１のダイクロイックミラー２１０、反射ミラー２３０及びクロスダイクロイックプリズム５００の図示を省略している。
【００５７】
なお、実施形態１に係るプロジェクタ１０００において、焦点距離とは、光学系の主点から焦点までの長さのことである。
【００５８】
実施形態１に係るプロジェクタ１０００においては、図３（ａ）及び図３（ｂ）に示すように、電気光学変調装置を小型化する前と小型化した後では、第２レンズアレイにおける第２小レンズの焦点距離の長さが異なっている。すなわち、電気光学変調装置を小型化した後の第２レンズアレイ１３２における第２小レンズ１３２ａの焦点距離ｆ１’は、電気光学変調装置を小型化する前の第２レンズアレイ１３０における第２小レンズ１３０ａの焦点距離ｆ１よりも長い。
【００５９】
ここで、照明領域の大きさは、第１レンズアレイの第１小レンズの大きさに、第２レンズアレイの第２小レンズの焦点距離ｆ１に対する重畳レンズの焦点距離ｆ２の比（＝ｆ２／ｆ１（拡大率））を乗じたものとなる。すなわち、電気光学変調装置を小型化した後の第２レンズアレイ１３２における第２小レンズ１３２ａの焦点距離ｆ１’は、電気光学変調装置を小型化する前の第２レンズアレイ１３０における第２小レンズ１３０ａの焦点距離ｆ１よりも長くなるから、図３（ｃ）及び図３（ｄ）に示すように、電気光学変調装置を小型化する前の照明領域Ｌ１の大きさに比べて、電気光学変調装置を小型化した後の照明領域Ｌ２の大きさを小さくすることが可能となる。
【００６０】
また、実施形態１に係るプロジェクタ１０００においては、図３（ａ）及び図３（ｂ）に示すように、電気光学変調装置を小型化する前と小型化した後では、重畳レンズの光軸の位置が異なっている。すなわち、電気光学変調装置を小型化した後においては、重畳レンズ１５０の光軸１５０ａｘは、光源装置１０の光軸１０ａｘに対してｙ軸（＋）方向に偏倚している。
これにより、電気光学変調装置を小型化した後において、図３（ｂ）に示すように、光源装置１０から射出される照明光束を、画像形成領域Ｓ２の中心ｐを通過する中心軸を有する照明光束に変換することが可能となる。その結果、電気光学変調装置４０２Ｒ、４０２Ｇ，４０２Ｂの画像形成領域Ｓ２に適した照明光束で正しく照射することが可能になる。
【００６１】
なお、実施形態１に係るプロジェクタ１０００においては、画像形成領域の中心ｐとは、画像形成領域を照明光束に沿って見たときの中心のことである。
【００６２】
また、実施形態１に係るプロジェクタ１０００においては、図３（ａ）及び図３（ｂ）に示すように、水平面に平行で投写光学系６００の光軸を含む第１の仮想平面ＶＰ１が、光源装置１０の光軸１０ａｘを含む第２の仮想平面ＶＰ２に対してｙ軸（＋）方向に偏倚しているとともに、画像形成領域Ｓ１，Ｓ２の中心ｐが第１の仮想平面ＶＰ１と第２の仮想平面ＶＰ２との間に位置するように配置されている。なお、実施形態１に係るプロジェクタ１０００において、水平面とは、図２（ａ）に示すｘ軸とｚ軸とを含む平面のことである。
この場合の実施形態１に係るプロジェクタ１０００を説明するにあたり、図４及び図５をさらに用いて説明する。
【００６３】
図４は、比較例に係るプロジェクタ１０００ａを説明するために示す図である。図４（ａ）は電気光学変調装置を小型化する前の、電気光学変調装置と投写画像との関係を模式的に示す図であり、図４（ｂ）は電気光学変調装置を小型化した後の、電気光学変調装置と投写画像との関係を模式的に示す図であり、図４（ｃ）は電気光学変調装置を小型化してさらに投写画像を拡大したときの、電気光学変調装置と投写画像との関係を模式的に示す図であり、図４（ｄ）は図４（ａ）〜図４（ｃ）の場合におけるスクリーンＳＣＲに投写される投写画像の位置を示す図である。
【００６４】
図５は、実施形態１に係るプロジェクタ１０００を説明するために示す図である。図５（ａ）は電気光学変調装置を小型化する前のプロジェクタ２０００における、電気光学変調装置と投写画像との関係を模式的に示す図であり、図５（ｂ）は電気光学変調装置を小型化した後のプロジェクタ１０００における、電気光学変調装置と投写画像との関係を模式的に示す図であり、図５（ｃ）は電気光学変調装置を小型化してさらに投写画像を拡大したときの、電気光学変調装置と投写画像との関係を模式的に示す図であり、図５（ｄ）は図５（ａ）〜図５（ｃ）の場合におけるスクリーンＳＣＲに投写される投写画像の位置を示す図である。
【００６５】
なお、図４（ｄ）及び図５（ｄ）において、灰色で示す領域が投写画像Ｉｃ’，Ｉｃである。
【００６６】
比較例に係るプロジェクタ１０００ａは、基本的には実施形態１に係るプロジェクタ１０００の構成と同様の構成を有しており、投写光学系６００の光軸を含む第１の仮想平面ＶＰ１が光源装置１０の光軸１０ａｘを含む第２の仮想平面ＶＰ２に対してｙ軸（＋）方向に偏倚している点も、実施形態１に係るプロジェクタ１０００の場合と同じである。
比較例に係るプロジェクタ１０００ａが実施形態１に係るプロジェクタ１０００と異なる点は、電気光学変調装置を小型化した後の画像形成領域の中心の位置である。すなわち、比較例に係るプロジェクタ１０００ａにおいては、電気光学変調装置を小型化する前と小型化した後では、画像形成領域Ｓ１，Ｓ２の中心ｐが同じ位置にある。
【００６７】
このため、比較例に係るプロジェクタ１０００ａによれば、図４に示すように、電気光学変調装置を小型化した後のスクリーンＳＣＲにおける投写画像Ｉｂ’（特に投写画像Ｉｂ’の下端）の位置が、電気光学変調装置を小型化する前の投写画像Ｉａ’（特に投写画像Ｉａ’の下端）の位置よりも上方に偏倚することとなり、プロジェクタを使用する際の調整作業が煩雑なものとなる。
【００６８】
また、比較例に係るプロジェクタ１０００ａによれば、電気光学変調装置を小型化した場合における投写画像の大きさを、投写倍率を大きくして電気光学変調装置を小型化する前の投写画像Ｉａ’と同じ大きさにした場合においても、スクリーンＳＣＲにおける投写画像Ｉｃ’（特に投写画像Ｉｃ’の下端）の位置が、電気光学変調装置を小型化する前の投写画像Ｉａ’（特に投写画像Ｉａ’の下端）の位置よりも上方に偏倚することとなり、プロジェクタを使用する際の調整作業が煩雑なものとなる。
【００６９】
これに対し、実施形態１に係るプロジェクタ１０００においては、電気光学変調装置を小型化する前と小型化した後では、画像形成領域Ｓ１，Ｓ２の中心ｐが異なる位置にある。具体的には、電気光学変調装置を小型化する前においては、図３（ａ）に示すように、画像形成領域Ｓ１の中心ｐは、光源装置１０の光軸１０ａｘを含む第２の仮想平面ＶＰ２と同じ位置にあるのに対し、電気光学変調装置を小型化した後においては、図３（ｂ）に示すように、画像形成領域Ｓ２の中心ｐは、第１の仮想平面ＶＰ１と第２の仮想平面ＶＰ２との間に位置している。
【００７０】
このため、実施形態１に係るプロジェクタ１０００によれば、図５に示すように、小型化した後の電気光学変調装置における画像形成領域Ｓ２の中心ｐをｙ軸（＋）方向に沿って上方に偏倚させることにより、電気光学変調装置を小型化した後のスクリーンＳＣＲにおける投写画像Ｉｂ（特に投写画像Ｉｂの下端）の位置を、電気光学変調装置を小型化する前の投写画像Ｉａ（特に投写画像Ｉａの下端）の位置と同じになるようにして、プロジェクタを使用する際の調整作業を簡素化することが可能になる。
【００７１】
また、実施形態１に係るプロジェクタ１０００によれば、電気光学変調装置を小型化する前でも小型化した後でも、画像形成領域Ｓ１，Ｓ２の一方端が投写光学系６００の光軸を含む平面ＶＰ１に接するように配置されている。このため、電気光学変調装置を小型化した場合における投写画像の大きさを、投写倍率を大きくして電気光学変調装置を小型化する前の投写画像Ｉａと同じ大きさにした場合においても、スクリーンＳＣＲにおける投写画像Ｉｃ（特に投写画像Ｉｃの下端）の位置を、電気光学変調装置を小型化する前の投写画像Ｉａ（特に投写画像Ｉａの下端）の位置と同じになるようにして、プロジェクタを使用する際の調整作業を簡素化することが可能になる。
【００７２】
以上のように、実施形態１に係るプロジェクタ１０００によれば、光源装置１０から射出される照明光束を電気光学変調装置の画像形成領域に集光し、光源装置１０から射出される照明光束を画像形成領域Ｓ１，Ｓ２の中心ｐを通過する中心軸を有する照明光束に変換する照明光学系１００を備えているため、電気光学変調装置を小型化した場合において、小型化された画像形成領域の大きさ及び位置に合わせて照明領域の大きさ及び位置を適正に変換し効率よく画像形成領域を照明することが可能となる。
【００７３】
また、実施形態１に係るプロジェクタ１０００によれば、投写光学系６００の光軸を含む第１の仮想平面ＶＰ１が光源装置１０の光軸１０ａｘを含む第２の仮想平面ＶＰ２に対してｙ軸（＋）方向に偏倚しているとともに、電気光学変調装置４０２Ｒ，４０２Ｇ，４０２Ｂが、画像形成領域Ｓ２の中心ｐが第１の仮想平面ＶＰ１と第２の仮想平面ＶＰ２との間に位置するように配置されているため、小型化した電気光学変調装置における画像形成領域Ｓ２の中心ｐをｙ軸（＋）方向に沿って上方に偏倚させることが可能になり、スクリーンＳＣＲにおける投写画像Ｉｂ（特に投写画像Ｉｂの下端）の位置を、電気光学変調装置を小型化する前の投写画像Ｉａ（特に投写画像Ｉａの下端）の位置と同じになるようにして、プロジェクタを使用する際の調整作業を簡素化することが可能になる。
【００７４】
さらにまた、実施形態１に係るプロジェクタ１０００によれば、照明光学系１０００は、光源装置１０から射出される照明光束を、画像形成領域Ｓ１，Ｓ２の中心ｐを通過する中心軸を有する照明光束に変換する機能を有するため、電気光学変調装置の画像形成領域に照明光束を正しく照射することが困難になるという問題を抑制することが可能になる。
【００７５】
このため、実施形態１に係るプロジェクタ１０００は、光源装置及び投写光学系に加えて、色分離導光光学系及びクロスダイクロイックプリズムをも共通に利用して、電気光学変調装置を小型化するとともに、スクリーンにおける投写画像の位置を、電気光学変調装置を小型化する前の投写画像の位置と同じになるようにすることが可能なプロジェクタとなる。また、その場合、電気光学変調装置の画像形成領域に照明光束を効率よく正しく照射して光利用効率を維持することが可能なプロジェクタとなる。
【００７６】
［実施形態２］
図６は、実施形態２に係るプロジェクタ１００２を説明するために示す図である。図６（ａ）は電気光学変調装置を小型化する前のプロジェクタ２００２における、第２レンズアレイ１３０における第２小レンズ１３０ａの焦点距離ｆ１と重畳レンズ１５０の焦点距離ｆ２との関係を模式的に示す図であり、図６（ｂ）は電気光学変調装置を小型化した後のプロジェクタ１００２における、第２レンズアレイ１３２における第２小レンズ１３２ａの焦点距離ｆ１’と重畳レンズ１５０の焦点距離ｆ２との関係を模式的に示す図であり、図６（ｃ）はプロジェクタ２００２における、電気光学変調装置４００Ｒの画像形成領域Ｓ１における照明状態を模式的に示す図であり、図６（ｄ）はプロジェクタ１００２における、電気光学変調装置４０２Ｒの画像形成領域Ｓ２における照明状態を模式的に示す図である。なお、図６において、図３と同一の部材については同一の符号を付し、詳細な説明は省略する。
【００７７】
実施形態２に係るプロジェクタ１００２は、実施形態１に係るプロジェクタ１０００とは基本的に同様の構成を有しているが、ｙ軸（＋）方向に偏倚しているのが重畳レンズではなくフィールドレンズである点で、実施形態１に係るプロジェクタ１０００の場合と異なっている。
【００７８】
すなわち、実施形態１に係るプロジェクタ１０００においては、図３（ａ）及び図３（ｂ）で示したように、重畳レンズ１５０の光軸１５０ａｘが、光源装置１０の光軸１０ａｘに対してｙ軸（＋）方向に偏倚しているのに対し、実施形態２に係るプロジェクタ１００２においては、図６（ａ）及び図６（ｂ）に示すように、フィールドレンズ３００Ｒ，３００Ｇ，３００Ｂの光軸３００ａｘが、光源装置１０の光軸１０ａｘに対してｙ軸（＋）方向に偏倚している。
【００７９】
このように、実施形態２に係るプロジェクタ１００２は、実施形態１に係るプロジェクタ１０００の場合とは、ｙ軸方向に偏倚しているのが重畳レンズではなくフィールドレンズである点で異なっているが、実施形態１に係るプロジェクタ１０００の場合と同様に、電気光学変調装置を小型化した後において、図６（ｂ）に示すように、光源装置１０から射出される照明光束を、画像形成領域Ｓ２の中心ｐを通過する中心軸を有する照明光束に変換することが可能となる。その結果、図６（ｄ）に示すように、電気光学変調装置４０２Ｒ，４０２Ｇ，４０２Ｂの画像形成領域Ｓ２に適した照明光束で正しく照射することが可能になる。
【００８０】
実施形態２に係るプロジェクタ１００２は、ｙ軸方向に偏倚しているのが重畳レンズではなくフィールドレンズである点以外の点では、実施形態１に係るプロジェクタ１０００と同様の構成を有するため、実施形態１に係るプロジェクタ１０００の場合と同様の効果を有する。
【００８１】
［実施形態３］
図７は、実施形態３に係るプロジェクタ１００４を説明するために示す図である。図７（ａ）は電気光学変調装置を小型化する前のプロジェクタ２００４における、第２レンズアレイ１３０における第２小レンズ１３０ａの焦点距離ｆ１と重畳レンズ１５０の焦点距離ｆ２との関係を模式的に示す図であり、図７（ｂ）は電気光学変調装置を小型化した後のプロジェクタ１００４における、第２レンズアレイ１３２における第２小レンズ１３２ａの焦点距離ｆ１’と重畳レンズ１５０の焦点距離ｆ２との関係を模式的に示す図であり、図７（ｃ）はプロジェクタ２００４における、電気光学変調装置４００Ｒの画像形成領域Ｓ１における照明状態を模式的に示す図であり、図７（ｄ）はプロジェクタ１００４における、電気光学変調装置４０２Ｒの画像形成領域Ｓ２における照明状態を模式的に示す図である。なお、図７において、図３と同一の部材については同一の符号を付し、詳細な説明は省略する。
【００８２】
実施形態３に係るプロジェクタ１００４は、実施形態１に係るプロジェクタ１０００とは基本的に同様の構成を有しているが、ｙ軸方向に偏倚しているのが重畳レンズではなく第２レンズアレイである点で、実施形態１に係るプロジェクタ１０００の場合と異なっている。
【００８３】
すなわち、実施形態１に係るプロジェクタ１０００においては、図３（ａ）及び図３（ｂ）で示したように、重畳レンズ１５０の光軸１５０ａｘが、光源装置１０の光軸１０ａｘに対してｙ軸（＋）方向に偏倚しているのに対し、実施形態３に係るプロジェクタ１００４においては、図７（ａ）及び図７（ｂ）に示すように、第２レンズアレイ１３２の中心１３２ｐが、光源装置１０の光軸１０ａｘに対してｙ軸（＋）方向に偏倚している。
【００８４】
なお、実施形態３に係るプロジェクタ１００４においては、第２レンズアレイの中心とは、第２レンズアレイを照明光束に沿って見たときの中心のことである（図１（ｃ）及び図２（ｃ）参照。）。
【００８５】
このように、実施形態３に係るプロジェクタ１００４は、実施形態１に係るプロジェクタ１０００の場合とは、ｙ軸方向に偏倚しているのが重畳レンズではなく第２レンズアレイである点で異なっているが、実施形態１に係るプロジェクタ１０００の場合と同様に、電気光学変調装置を小型化した後において、図７（ｂ）に示すように、光源装置１０から射出される照明光束を、画像形成領域Ｓ２の中心ｐを通過する中心軸を有する照明光束に変換することが可能となる。その結果、図７（ｄ）に示すように、電気光学変調装置４０２Ｒ，４０２Ｇ，４０２Ｂの画像形成領域Ｓ２に適した照明光束で正しく照射することが可能になる。
【００８６】
実施形態３に係るプロジェクタ１００４は、ｙ軸方向に偏倚しているのが重畳レンズではなく第２レンズアレイである点以外の点では、実施形態１に係るプロジェクタ１０００と同様の構成を有するため、実施形態１に係るプロジェクタ１０００の場合と同様の効果を有する。
【００８７】
［実施形態４］
図８は、実施形態４に係るプロジェクタ１００６を説明するために示す図である。図８（ａ）は電気光学変調装置を小型化する前のプロジェクタ２００６における、第２レンズアレイ１３０における第２小レンズ１３０ａの焦点距離ｆ１と重畳レンズ１５０の焦点距離ｆ２との関係を模式的に示す図であり、図８（ｂ）は電気光学変調装置を小型化した後のプロジェクタ１００６における、第２レンズアレイ１３０における第２小レンズ１３０ａの焦点距離ｆ１と重畳レンズ１５２の焦点距離ｆ２’との関係を模式的に示す図であり、図８（ｃ）はプロジェクタ２００６における、電気光学変調装置４００Ｒの画像形成領域Ｓ１における照明状態を模式的に示す図であり、図８（ｄ）はプロジェクタ１００６における、電気光学変調装置４０２Ｒの画像形成領域Ｓ２における照明状態を模式的に示す図である。なお、図８において、図３と同一の部材については同一の符号を付し、詳細な説明は省略する。
【００８８】
実施形態４に係るプロジェクタ１００６は、実施形態１に係るプロジェクタ１０００とは基本的に同様の構成を有しているが、電気光学変調装置を小型化する前と小型化した後では第２レンズアレイにおける第２小レンズの焦点距離が同じである点、及び電気光学変調装置を小型化した後の重畳レンズの焦点距離が電気光学変調装置を小型化する前の重畳レンズの焦点距離よりも短い点で、実施形態１に係るプロジェクタ１０００の場合と異なっている。
【００８９】
すなわち、実施形態１に係るプロジェクタ１０００においては、図３（ａ）及び図３（ｂ）で示したように、電気光学変調装置を小型化した後の第２レンズアレイ１３２における第２小レンズ１３２ａの焦点距離ｆ１’は、電気光学変調装置を小型化する前の第２レンズアレイ１３０における第２小レンズ１３０ａの焦点距離ｆ１よりも長い。また、電気光学変調装置を小型化する前と小型化した後では、重畳レンズ１５０の焦点距離ｆ２は同じである。
【００９０】
これに対し、実施形態４に係るプロジェクタ１００６においては、図８（ａ）及び図８（ｂ）に示すように、電気光学変調装置を小型化する前と小型化した後では、第２レンズアレイ１３０における第２小レンズ１３０ａの焦点距離ｆ１は同じである。また、電気光学変調装置を小型化した後の重畳レンズ１５２の焦点距離ｆ２’は、電気光学変調装置を小型化する前の重畳レンズ１５０の焦点距離ｆ２よりも短い。
【００９１】
このように、実施形態４に係るプロジェクタ１００６は、実施形態１に係るプロジェクタ１０００の場合とは、電気光学変調装置を小型化する前と小型化した後では第２レンズアレイにおける第２小レンズの焦点距離が同じである点、及び電気光学変調装置を小型化した後の重畳レンズの焦点距離が電気光学変調装置を小型化する前の重畳レンズの焦点距離よりも短い点で異なっているが、照明領域の大きさは、第１レンズアレイの第１小レンズの大きさに、第２レンズアレイの第２小レンズの焦点距離ｆ１に対する重畳レンズの焦点距離ｆ２の比（＝ｆ２／ｆ１（拡大率））を乗じたものであることから、実施形態１に係るプロジェクタ１０００の場合と同様に、電気光学変調装置を小型化する前の照明領域Ｌ１の大きさに比べて、電気光学変調装置を小型化した後の照明領域Ｌ２の大きさを小さくすることが可能となる（図８（ｃ）及び図８（ｄ）参照。）。
【００９２】
実施形態４に係るプロジェクタ１００６は、電気光学変調装置を小型化する前と小型化した後では第２レンズアレイにおける第２小レンズの焦点距離が同じである点、及び電気光学変調装置を小型化した後の重畳レンズの焦点距離が電気光学変調装置を小型化する前の重畳レンズの焦点距離よりも短い点以外の点では、実施形態１に係るプロジェクタ１０００と同様の構成を有するため、実施形態１に係るプロジェクタ１０００の場合と同様の効果を有する。
【００９３】
なお、実施形態４に係るプロジェクタ１００６において、光源装置１０から射出される照明光束を画像形成領域Ｓ２の中心ｐを通過する中心軸を有する照明光束に変換するにあたっては、実施形態１に係るプロジェクタ１０００の場合と同様に、重畳レンズ１５２の光軸１５２ａｘが光源装置１０の光軸１０ａｘに対してｙ軸（＋）方向に偏倚している構成を示したが、本発明はこれに限定されるものではなく、以下のような構成を採用することも可能である。
【００９４】
例えば、実施形態４に係るプロジェクタ１００６において、光源装置１０から射出される照明光束を画像形成領域Ｓ２の中心ｐを通過する中心軸を有する照明光束に変換するにあたり、実施形態２に係るプロジェクタ１００２の場合と同様に、フィールドレンズ３００Ｒ，３００Ｇ，３００Ｂの光軸３００ａｘが、光源装置１０の光軸１０ａｘに対してｙ軸（＋）方向に偏倚している構成を採用することも可能である。
【００９５】
また、実施形態４に係るプロジェクタ１００６において、光源装置１０から射出される照明光束を画像形成領域Ｓ２の中心ｐを通過する中心軸を有する照明光束に変換するにあたり、実施形態３に係るプロジェクタ１００４の場合と同様に、第２レンズアレイ１３０の中心１３０ｐが、光源装置１０の光軸１０ａｘに対してｙ軸（＋）方向に偏倚している構成を採用することも可能である。
【００９６】
［実施形態５］
図９は、電気光学変調装置を小型化する前のプロジェクタ２００８を説明するために示す図である。図９（ａ）はプロジェクタ２００８の光学系を示す図であり、図９（ｂ）はプロジェクタ２００８における電気光学変調装置４００Ｒ，４００Ｇ，４００Ｂ（図９（ｂ）では電気光学変調装置４００Ｒのみ図示。）を正面から見た図である。
【００９７】
図１０は、電気光学変調装置を小型化した後のプロジェクタ１００８を説明するために示す図である。図１０（ａ）はプロジェクタ１００８の光学系を示す図であり、図１０（ｂ）はプロジェクタ１００８における電気光学変調装置４０２Ｒ，４０２Ｇ，４０２Ｂ（図１０（ｂ）では電気光学変調装置４０２Ｒのみ図示。）を正面から見た図である。
【００９８】
図１１は、実施形態５に係るプロジェクタ１００８を説明するために示す図である。図１１（ａ）は電気光学変調装置を小型化する前のプロジェクタ２００８における、第２レンズアレイ１３０における第２小レンズ１３０ａの焦点距離ｆ１と重畳レンズ１５４の焦点距離ｆ３との関係を模式的に示す図であり、図１１（ｂ）は電気光学変調装置を小型化した後のプロジェクタ１００８における、第２レンズアレイ１３０における第２小レンズ１３０ａの焦点距離ｆ１と第１の重畳光学系の焦点距離ｆ４との関係を模式的に示す図であり、図１１（ｃ）はプロジェクタ２００８における、電気光学変調装置４００Ｒの画像形成領域Ｓ１における照明状態を模式的に示す図であり、図１１（ｄ）はプロジェクタ１００８における、電気光学変調装置４０２Ｒの画像形成領域Ｓ２における照明状態を模式的に示す図である。
【００９９】
なお、図９〜図１１において、図１〜図３と同一の部材については同一の符号を付し、詳細な説明は省略する。
【０１００】
実施形態５に係るプロジェクタ１００８は、実施形態１に係るプロジェクタ１０００とは基本的に同様の構成を有しているが、電気光学変調装置を小型化する前と小型化した後では第２レンズアレイにおける第２小レンズの焦点距離が同じである点、及び電気光学変調装置を小型化した後において、重畳レンズと電気光学変調装置との間に光学レンズを配置している点で、実施形態１に係るプロジェクタ１０００の場合と異なっている。
【０１０１】
すなわち、実施形態１に係るプロジェクタ１０００においては、図３（ａ）及び図３（ｂ）で示したように、電気光学変調装置を小型化した後の第２レンズアレイ１３２における第２小レンズ１３２ａの焦点距離ｆ１’は、電気光学変調装置を小型化する前の第２レンズアレイ１３０における第２小レンズ１３０ａの焦点距離ｆ１よりも長い。
【０１０２】
これに対し、実施形態５に係るプロジェクタ１００８においては、図１１（ａ）及び図１１（ｂ）に示すように、電気光学変調装置を小型化する前と小型化した後では、第２レンズアレイ１３０における第２小レンズ１３０ａの焦点距離ｆ１は同じである。
【０１０３】
また、実施形態５に係るプロジェクタ１０１２においては、図１０（ａ）に示すように、電気光学変調装置を小型化した後においては、第１のダイクロイックミラー２１０と電気光学変調装置４０２Ｒ（第１の電気光学変調装置）との間に第１の光学レンズ１７０を配置し、第１のダイクロイックミラー２１０と第２のダイクロイックミラー２２０との間に第２の光学レンズ１８０を配置している。
【０１０４】
第１の光学レンズ１７０は、図１０（ａ）に示すように、凸メニスカスレンズであり、光入射側に凸面を向けた状態で第１のダイクロイックミラー２１０と電気光学変調装置４０２Ｒとの間に配置されている。そして、第１の光学レンズ１７０は、図１１（ｂ）に示すように、第１のダイクロイックミラー２１０と電気光学変調装置４０２Ｒとの間に配置したとき、重畳レンズ１５４とともに、重畳レンズ１５４の焦点距離ｆ３よりも長い焦点距離ｆ４を有し重畳レンズ１５４の焦点位置と略同一の焦点位置を有する第１の重畳光学系を構成するものである。
【０１０５】
なお、実施形態５に係るプロジェクタ１００８において、焦点距離とは、光学系の主点から焦点までの長さであり、焦点位置とは、該光学系の焦点の位置である。
【０１０６】
第１の光学レンズ１７０を第１ダイクロイックミラー２１０と電気光学変調装置４０２Ｒとの間に配置しないときは、図１１（ａ）に示すように、赤色光の光路において第１の重畳光学系は重畳レンズ１５４のみで構成されることとなるから、第１の重畳光学系の焦点距離は重畳レンズ１５４の焦点距離ｆ３となる。これに対し、第１の光学レンズ１７０を第１のダイクロイックミラー２１０と電気光学変調装置４０２Ｒとの間に配置したときは、図１１（ｂ）に示すように、赤色光の光路において第１の重畳光学系は重畳レンズ１５４と第１の光学レンズ１７０とで構成されることとなるから、第１の重畳光学系の焦点距離はｆ４となり、重畳レンズ１５４のみで構成される場合の第１の重畳光学系の焦点距離ｆ３よりも長くなる。このとき、第１の光学レンズ１７０を配置しないときの重畳レンズ１５４のみで構成される第１の重畳光学系の焦点位置と、第１の光学レンズ１７０を配置したときの重畳レンズ１５４と第１の光学レンズ１７０とで構成される第１の重畳光学系の焦点位置とは、略同一である。
【０１０７】
第２の光学レンズ１８０は、図１０（ａ）に示すように、凸メニスカスレンズであり、光入射側に凸面を向けた状態で第１のダイクロイックミラー２１０と第２のダイクロイックミラー２２０との間に配置されている。そして、ここでは図示を省略したが、第２の光学レンズ１８０は、第１のダイクロイックミラー２１０と第２のダイクロイックミラー２２０との間に配置したとき、重畳レンズ１５４とともに、重畳レンズ１５４の焦点距離ｆ３よりも長い焦点距離ｆ４を有し重畳レンズ１５４の焦点位置と略同一の焦点位置を有する第２の重畳光学系を構成するものである。
【０１０８】
第１の光学レンズ１７０の場合と同様に、第２の光学レンズ１８０を第１ダイクロイックミラー２１０と第２のダイクロイックミラー２２０との間に配置しないときは、緑色光の光路及び青色光の光路において第２の重畳光学系は重畳レンズ１５４のみで構成されることとなるから、第２の重畳光学系の焦点距離は重畳レンズ１５４の焦点距離ｆ３となる。これに対し、第２の光学レンズ１８０を第１のダイクロイックミラー２１０と第２のダイクロイックミラー２２０との間に配置したときは、緑色光の光路及び青色光の光路において第２の重畳光学系は重畳レンズ１５４と第２の光学レンズ１８０とで構成されることとなるから、第２の重畳光学系の焦点距離はｆ４となり、重畳レンズ１５４のみで構成される場合の第２の重畳光学系の焦点距離ｆ３よりも長くなる。このとき、第２の光学レンズ１８０を配置しないときの重畳レンズ１５４のみで構成される第２の重畳光学系の焦点位置と、第２の光学レンズ１８０を配置したときの重畳レンズ１５４と第２の光学レンズ１８０とで構成される第２の重畳光学系の焦点位置とは、略同一である。
【０１０９】
つまり、実施形態５に係るプロジェクタ１００８の重畳光学系は、第１の光学レンズ１７０と第２の光学レンズ１８０と重畳レンズ１５４（第３の光学レンズ）とを備えている。
【０１１０】
なお、実施形態５に係るプロジェクタ１００８において、電気光学変調装置を小型化する前の照明領域Ｌ１の大きさに比べて電気光学変調装置を小型化した後の照明領域Ｌ２の大きさを小さくするにあたっては、電気光学変調装置を小型化する前と小型化した後とで重畳レンズ１５４を変更せずにメニスカスレンズである第１の光学レンズ１７０及び第２の光学レンズ１８０を色分離導光光学系２００の光路中に配置させる構成を示したが、本発明はこれに限定されるものではなく、以下のような構成を採用することも可能である。
【０１１１】
例えば、実施形態５に係るプロジェクタ１００８において、電気光学変調装置を小型化する前の照明領域Ｌ１の大きさに比べて電気光学変調装置を小型化した後の照明領域Ｌ２の大きさを小さくするにあたり、第１の光学レンズ１７０に代えて平凸又は両凸の凸レンズを配置し、第２の光学レンズ１８０に代えて平凸又は両凸の凸レンズを配置し、重畳レンズ１５４に代えて第１の光学レンズ及び第２の光学レンズとともに電気光学変調装置４０２Ｒ，４０２Ｇ，４０２Ｂの画像形成領域Ｓ２に適した照明領域Ｌ２となるように適切な屈折力を有する第３の光学レンズを配置する構成を採用することも可能である。但し、実施形態５に係るプロジェクタ１００８において、第１の光学レンズ１７０と第２の光学レンズ１８０とにメニスカスレンズを用いることにより、重畳光学系の焦点位置を維持しつつ重畳光学系の主点の位置を光軸に沿った方向に調整することが可能となるため、重畳光学系の焦点位置を変えずに重畳光学系の焦点距離を調整することができるようになる。
【０１１２】
また、実施形態５に係るプロジェクタ１００８の重畳光学系において、第１の光学レンズと第２の光学レンズと重畳レンズ（第３の光学レンズ）は、それぞれ複数のレンズを組み合わせて複合レンズとすることも可能である。この場合、重畳光学系の焦点位置を維持しつつ重畳光学系の主点の位置を光軸に沿った方向に調整することが可能となるため、重畳光学系の焦点位置を変えずに重畳光学系の焦点距離を調整することができるようになる。
【０１１３】
また、実施形態５に係るプロジェクタ１００８の重畳光学系において、第１の光学レンズ及び第２の光学レンズは、同一形状とすることも可能である。このように構成することにより、第１の光学レンズ及び第２の光学レンズとして、同一形状のレンズを用いることが可能になるため、プロジェクタにおける製造コストの低減を図ることが可能である。
【０１１４】
また、実施形態５に係るプロジェクタ１００８の重畳光学系において、第１の光学レンズ及び第２の光学レンズのうち、相対的に長い波長の色光が通過する光路に配置されるレンズのパワーは、相対的に短い波長の色光が通過する光路に配置されるレンズのパワーよりも大きくすることも可能である。一般的に、レンズの屈折率には波長分散特性が存在し、相対的に長い波長の光における屈折率は相対的に短い波長の光における屈折率よりも小さい。このため、相対的に長い波長の光は、相対的に短い波長の光よりも屈折しにくいため、第１の光学レンズと第２の光学レンズのパワーを同じに設定すると、相対的に長い波長の光が入射する場合と相対的に短い波長の光が入射する場合とで、画像形成領域に照射される照明領域の大きさが異なることになり易い。しかしながら、このような場合には、上記のように構成することにより、相対的に長い波長の光は、相対的に短い波長の光よりも、パワーの大きいレンズを通過することになるため、屈折のしにくさが補償され、相対的に長い波長の光が入射する場合と相対的に短い波長の光が入射する場合とで、画像形成領域に照射される照明領域の大きさを同じにすることができるようになる。このため、各色光に対応する電気光学変調装置毎に、同じ大きさの照明領域が形成されることになり、色光毎の照明状態が均一になり、色むらが低減し色再現性が向上する。
【０１１５】
このように、実施形態５に係るプロジェクタ１００８は、実施形態１に係るプロジェクタ１０００の場合とは、電気光学変調装置を小型化する前と小型化した後では第２レンズアレイにおける第２小レンズの焦点距離が同じである点、及び電気光学変調装置を小型化した後において、重畳レンズと電気光学変調装置との間に光学レンズを配置している点で異なっているが、照明領域の大きさは、第１レンズアレイの第１小レンズの大きさに、第２レンズアレイの第２小レンズの焦点距離ｆ１に対する重畳光学系の焦点距離ｆ４の比（＝ｆ４／ｆ１（拡大率））を乗じたものであることから、実施形態１に係るプロジェクタ１０００の場合と同様に、電気光学変調装置を小型化する前の照明領域Ｌ１の大きさに比べて、電気光学変調装置を小型化した後の照明領域Ｌ２の大きさを小さくすることが可能となる（図１１（ｃ）及び図１１（ｄ）参照。）。
【０１１６】
また、実施形態５に係るプロジェクタ１００８においては、電気光学変調装置を小型化するのにあわせて、レンズアレイにおける各小レンズの焦点距離を長くしたり、レンズアレイにおける各小レンズの大きさを小さくしたり、重畳レンズの焦点距離を小さくしたりする必要がなくなるため、電気光学変調装置を小型化することに伴って照明光学系を変更したり、色分離導光光学系を変更したりする必要がなくなり、プロジェクタの低コスト化を抑制することができるという効果もある。
【０１１７】
実施形態５に係るプロジェクタ１００８は、電気光学変調装置を小型化する前と小型化した後では第２レンズアレイにおける第２小レンズの焦点距離が同じである点、及び電気光学変調装置を小型化した後において、重畳レンズと電気光学変調装置との間に光学レンズを配置している点以外の点では、実施形態１に係るプロジェクタ１０００と同様の構成を有するため、実施形態１に係るプロジェクタ１０００の場合と同様の効果を有する。
【０１１８】
なお、実施形態５に係るプロジェクタ１００８において、光源装置１０から射出される照明光束を画像形成領域Ｓ２の中心ｐを通過する中心軸を有する照明光束に変換するにあたっては、実施形態１に係るプロジェクタ１０００の場合と同様に、重畳レンズ１５４の光軸１５４ａｘが光源装置１０の光軸１０ａｘに対してｙ軸（＋）方向に偏倚している構成を示したが、本発明はこれに限定されるものではなく、以下のような構成を採用することも可能である。
【０１１９】
例えば、実施形態５に係るプロジェクタ１００８において、光源装置１０から射出される照明光束を画像形成領域Ｓ２の中心ｐを通過する中心軸を有する照明光束に変換するにあたり、実施形態２に係るプロジェクタ１００２の場合と同様に、フィールドレンズ３００Ｒ，３００Ｇ，３００Ｂの光軸３００ａｘが、光源装置１０の光軸１０ａｘに対してｙ軸（＋）方向に偏倚している構成を採用することも可能である。
【０１２０】
また、実施形態５に係るプロジェクタ１００８において、光源装置１０から射出される照明光束を画像形成領域Ｓ２の中心ｐを通過する中心軸を有する照明光束に変換するにあたり、実施形態３に係るプロジェクタ１００４の場合と同様に、第２レンズアレイ１３０の中心１３０ｐが、光源装置１０の光軸１０ａｘに対してｙ軸（＋）方向に偏倚している構成を採用することも可能である。
【０１２１】
また、実施形態５に係るプロジェクタ１００８において、光源装置１０から射出される照明光束を画像形成領域Ｓ２の中心ｐを通過する中心軸を有する照明光束に変換するにあたり、重畳光学系を構成する第１の光学レンズ及び第２の光学レンズの光軸を、光源装置１０の光軸１０ａｘに対してｙ軸（＋）方向に偏倚させてもよい。
図１２は、実施形態５に係るプロジェクタ１００８の変形例を説明するために示す図である。図１２（ａ）は電気光学変調装置を小型化する前のプロジェクタ２００８における、第２レンズアレイ１３０における第２小レンズ１３０ａの焦点距離ｆ１と重畳レンズ１５４の焦点距離ｆ３との関係を模式的に示す図であり、図１２（ｂ）は電気光学変調装置を小型化した後のプロジェクタ１００８における、第２レンズアレイ１３０における第２小レンズ１３０ａの焦点距離ｆ１と第１の重畳光学系の焦点距離ｆ４との関係を模式的に示す図であり、図１２（ｃ）はプロジェクタ２００８における、電気光学変調装置４００Ｒの画像形成領域Ｓ１における照明状態を模式的に示す図であり、図１２（ｄ）はプロジェクタ１００８における、電気光学変調装置４０２Ｒの画像形成領域Ｓ２における照明状態を模式的に示す図である。なお、図１２において、図３及び図１１と同一の部材については同一の符号を付し、詳細な説明は省略する。
【０１２２】
例えば、実施形態５に係るプロジェクタ１００８において、光源装置１０から射出される照明光束を画像形成領域Ｓ２の中心ｐを通過する中心軸を有する照明光束に変換するにあたり、図１２に示すように、重畳レンズ１５４（第３の光学レンズ）の光軸１５４ａｘを光源装置１０の光軸１０ａｘと一致させて、重畳光学系を構成する第１の光学レンズ１７０の光軸１７０ａｘ及び第２の光学レンズ１８０の光軸１８０ａｘ（図１２には第１の光学レンズ１７０のみ図示。）を、光源装置１０の光軸１０ａｘに対してｙ軸（＋）方向に偏倚している構成を採用することも可能である。
【０１２３】
また、実施形態５に係るプロジェクタ１００８において、光源装置１０から射出される照明光束を画像形成領域Ｓ２の中心ｐを通過する中心軸を有する照明光束に変換するにあたり、重畳レンズ１５４（第３の光学レンズ）の光軸１５４ａｘが光源装置１０の光軸１０ａｘに対してｙ軸（＋）方向に偏倚しており、さらに第１の光学レンズ１７０の光軸１７０ａｘ及び第２の光学レンズ１８０の光軸１８０ａｘが光源装置１０の光軸１０ａｘに対してｙ軸（＋）方向に偏倚している構成を採用することも可能である。
【０１２４】
［実施形態６］
図１３は、実施形態６に係るプロジェクタ１０１０を説明するために示す図である。図１３（ａ）は電気光学変調装置を小型化する前のプロジェクタ２０１０における、電気光学変調装置と投写画像との関係を模式的に示す図であり、図１３（ｂ）は電気光学変調装置を小型化した後のプロジェクタ１０１０における、電気光学変調装置と投写画像との関係を模式的に示す図であり、図１３（ｃ）は電気光学変調装置を小型化してさらに投写画像を拡大したときの、電気光学変調装置と投写画像との関係を模式的に示す図であり、図１３（ｄ）は図１３（ａ）〜図１３（ｃ）の場合におけるスクリーンＳＣＲに投写される投写画像の位置を示す図である。
【０１２５】
実施形態６に係るプロジェクタ１０１０は、実施形態１に係るプロジェクタ１０００とは基本的に同様の構成を有しているが、電気光学変調装置における画像形成領域の上端部と投写光学系の光軸を含む第１の仮想平面とが一致していない点で、実施形態１に係るプロジェクタ１０００の場合と異なっている。
【０１２６】
すなわち、実施形態１に係るプロジェクタ１０００においては、図５（ａ）〜図５（ｃ）に示すように、電気光学変調装置における画像形成領域Ｓ１，Ｓ２の上端部は、投写光学系６００の光軸を含む第１の仮想平面ＶＰ１と同じ位置にあるのに対し、実施形態６に係るプロジェクタ１０１０においては、図１３（ａ）〜図１３（ｃ）に示すように、電気光学変調装置における画像形成領域Ｓ１，Ｓ２の上端部は、投写光学系６００の光軸を含む第１の仮想平面ＶＰ１よりも上方に位置している。
【０１２７】
このように、実施形態６に係るプロジェクタ１０１０は、実施形態１に係るプロジェクタ１０００の場合とは、電気光学変調装置における画像形成領域の上端部と投写光学系の光軸を含む第１の仮想平面とが一致していない点で異なっているが、実施形態１に係るプロジェクタ１０００の場合と同様に、投写光学系６００の光軸を含む第１の仮想平面ＶＰ１が光源装置１０の光軸１０ａｘを含む第２の仮想平面ＶＰ２に対してｙ軸方向に偏倚しているとともに、電気光学変調装置４０２Ｒ，４０２Ｇ，４０２Ｂが、画像形成領域Ｓ２の中心ｐが第１の仮想平面ＶＰ１と第２の仮想平面ＶＰ２との間に位置するように配置されているため、小型化した電気光学変調装置における画像形成領域Ｓ２の中心ｐをｙ軸方向に沿って上方に偏倚させることが可能になり、スクリーンＳＣＲにおける投写画像Ｉｂ（特に投写画像Ｉｂの下端）の位置を、電気光学変調装置を小型化する前の投写画像Ｉａ（特に投写画像Ｉａの下端）の位置と同じになるようにして、プロジェクタを使用する際の調整作業を簡素化することが可能になる。
【０１２８】
実施形態６に係るプロジェクタ１０１０は、電気光学変調装置における画像形成領域の上端部と投写光学系の光軸を含む第１の仮想平面とが一致していない点以外の点では、実施形態１に係るプロジェクタ１０００と同様の構成を有するため、実施形態１に係るプロジェクタ１０００の場合と同様の効果を有する。
【０１２９】
以上、本発明のプロジェクタを上記の各実施形態に基づいて説明したが、本発明は上記の各実施形態に限定されるものではなく、その要旨を逸脱しない範囲において種々の態様において実施することが可能であり、例えば次のような変形も可能である。
【０１３０】
（１）上記各実施形態のプロジェクタ１０００〜１０１０においては、電気光学変調装置を小型化するのにあわせて、第２レンズアレイにおける第２小レンズの焦点距離を長くしたり重畳レンズ（重畳光学系）の焦点距離を小さくしたりすることによって、画像形成領域に照射される照明領域の大きさを小さくしていたが、本発明はこれに限定されるものではなく、電気光学変調装置を小型化するのにあわせて、レンズアレイにおける各小レンズの大きさを小さくしてもよい。
【０１３１】
（２）上記実施形態６に係るプロジェクタ１０１０は、実施形態１に係るプロジェクタ１０００の構成において、電気光学変調装置における画像形成領域Ｓ１，Ｓ２の上端部が投写光学系６００の光軸を含む第１の仮想平面ＶＰ１よりも上方に位置している場合を例示的に説明したが、本発明はこれに限定されるものではなく、実施形態２〜５のプロジェクタ１００２〜１００８の構成において、電気光学変調装置における画像形成領域Ｓ１，Ｓ２の上端部が投写光学系６００の光軸を含む第１の仮想平面ＶＰ１よりも上方に位置している場合であっても同様である。
【０１３２】
（３）上記実施形態５に係るプロジェクタ１００８においては、照明領域の大きさを調整するために、第１の光学レンズ及び第２の光学レンズを光路内の所定位置にそれぞれ配置する場合を例示して説明したが、本発明はこれに限定されるものではない。必要に応じて、第１の光学レンズのみを配置してもよいし、第２の光学レンズのみを配置してもよい。
【０１３３】
（４）上記各実施形態のプロジェクタ１０００〜１０１０においては、電気光学変調装置として、「ｙ軸方向に沿った縦寸法（ＤＡ）：ｘ軸方向に沿った横寸法（ＤＢ）＝９：１６の長方形」の平面形状を有する画像形成領域を有するワイドビジョン用の電気光学変調装置を用いた場合を例示して説明したが、本発明はこれに限定されるものではない。例えば、「ｙ軸方向に沿った縦寸法（ＤＡ）：ｘ軸方向に沿った横寸法（ＤＢ）＝３：４の長方形」の平面形状を有する画像形成領域を有する電気光学変調装置も好適に用いることができる。
【０１３４】
（５）上記各実施形態のプロジェクタ１０００〜１０１０は、電気光学変調装置を３つ備えたプロジェクタであるが、これに限定されるものではない。本発明は、１つ、２つ、又は４つ以上の電気光学変調装置を備えるプロジェクタに適用することが可能である。
【０１３５】
（６）上記各実施形態のプロジェクタ１０００〜１０１０は透過型のプロジェクタであるが、これに限定されるものではない。本発明は反射型のプロジェクタにも適用することが可能である。ここで、「透過型」とは、透過型の電気光学変調装置等のように光変調手段としての電気光学変調装置が光を透過するタイプであることを意味しており、「反射型」とは、反射型の電気光学変調装置のように光変調手段としての電気光学変調装置が光を反射するタイプであることを意味している。反射型のプロジェクタにこの発明を適用した場合にも、透過型のプロジェクタと同様の効果を得ることができる。 
【０１３６】
（７）上記各実施形態のプロジェクタ１０００〜１０１０は、電気光学変調装置として液晶パネルを用いた電気光学変調装置を用いているが、本発明はこれに限定されるものではない。電気光学変調装置としては、一般に、入射光を画像情報に応じて変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。 
【０１３７】
（８）上記各実施形態のプロジェクタ１０００〜１０１０は、光源装置として、楕円面リフレクタ４０と、発光管２０と、補助ミラー６０と、凹レンズ８０とを有する光源装置１０を用いたが、本発明はこれに限定されるものではなく、放物面リフレクタと、放物面リフレクタの焦点近傍に発光中心を有する発光管とを有する光源装置をも好ましく用いることができる。
【０１３８】
（９）本発明は、机上に設置する通常のプロジェクタに適用する場合にも、天井に吊り下げて設置する天吊タイプのプロジェクタに適用する場合にも可能である。
【０１３９】
（１０）本発明は、投写画像を観察する側から投写するフロント投写型プロジェクタに適用する場合にも、投写画像を観察する側とは反対の側から投写するリア投写型プロジェクタにも適用する場合にも可能である。
【図面の簡単な説明】
【０１４０】
【図１】電気光学変調装置を小型化する前のプロジェクタ２０００を説明するために示す図。
【図２】電気光学変調装置を小型化した後のプロジェクタ１０００を説明するために示す図。
【図３】実施形態１に係るプロジェクタ１０００を説明するために示す図。
【図４】比較例に係るプロジェクタ１０００ａを説明するために示す図。
【図５】実施形態１に係るプロジェクタ１０００を説明するために示す図。
【図６】実施形態２に係るプロジェクタ１００２を説明するために示す図。
【図７】実施形態３に係るプロジェクタ１００４を説明するために示す図。
【図８】実施形態４に係るプロジェクタ１００６を説明するために示す図。
【図９】電気光学変調装置を小型化する前のプロジェクタ２００８を説明するために示す図。
【図１０】電気光学変調装置を小型化した後のプロジェクタ１００８を説明するために示す図。
【図１１】実施形態５に係るプロジェクタ１００８を説明するために示す図。
【図１２】実施形態５に係るプロジェクタ１００８の変形例を説明するために示す図。
【図１３】実施形態６に係るプロジェクタ１０１０を説明するために示す図。
【符号の説明】
【０１４１】
１０…光源装置、１０ａｘ…光源装置の光軸、２０…発光管、４０…楕円面リフレクタ、６０…補助ミラー、８０…凹レンズ、１２０，１２２…第１レンズアレイ、１２０ａ，１２２ａ…第１小レンズ、１３０，１３２…第２レンズアレイ、１３０ａ，１３２ａ…第２小レンズ、１３０ｐ，１３２ｐ…第２レンズアレイの中心、１４０…偏光変換素子、１５０，１５２…重畳レンズ、１５０ａｘ，１５２ａｘ…重畳レンズの光軸、１５４…重畳レンズ（第３の光学レンズ）、１５４ａｘ…重畳レンズ（第３の光学レンズ）の光軸、１６０…重畳光学系、１７０…第１の光学レンズ、１７０ａｘ…第１の光学レンズの光軸、１８０…第２の光学レンズ、２００…色分離導光光学系、２１０，２２０…ダイクロイックミラー、２３０，２４０，２５０…反射ミラー、２６０…入射側レンズ、２７０…リレーレンズ、３００Ｒ，３００Ｇ，３００Ｂ…フィールドレンズ、３００ａｘ…フィールドレンズの光軸、４００Ｒ，４００Ｇ，４００Ｂ，４０２Ｒ，４０２Ｇ，４０２Ｂ…電気光学変調装置、５００…クロスダイクロイックプリズム、６００…投写光学系、１０００，１０００ａ，１００２，１００４，１００６，１００８，１０１０，２０００，２０００ａ，２００２，２００４，２００６，２００８，２０１０…プロジェクタ、ＤＡ…画像形成領域の縦寸法、ＤＢ…画像形成領域の横寸法、ｆ１，ｆ１’…第２小レンズの焦点距離、ｆ２，ｆ２’…重畳レンズの焦点距離、ｆ３，ｆ４…重畳光学系の焦点距離、Ｉａ，Ｉａ’，Ｉｂ，Ｉｂ’Ｉｃ，Ｉｃ’…投写画像、Ｌ１，Ｌ２…照明領域、Ｓ１，Ｓ２…画像形成領域、ＳＣＲ…スクリーン
【図１】
2007171443.tif 000003
【図２】
2007171443.tif 000004
【図９】
2007171443.tif 000005
【図１０】
2007171443.tif 000006
【図３】
2007171443.tif 000007
【図４】
2007171443.tif 000008
【図５】
2007171443.tif 000009
【図６】
2007171443.tif 000010
【図７】
2007171443.tif 000011
【図８】
2007171443.tif 000012
【図１１】
2007171443.tif 000013
【図１２】
2007171443.tif 000014
【図１３】
2007171443.tif 000015